(57)【要約】      （修正有）【課題】動作の瞬間だけでなく継続的に効果的な演出を行うことが可能であり、長時間見ていても見る者が飽きることのない演出装置を提供する。【解決手段】複数の白煙発生部１０と、該白煙発生部１０の高さ調整を行う台座１１と、照明装置１２とで構成する。宴演出装置１を使用する際は、テーブルクロス７を敷いたテーブル６上に宴演出装置１を設置し、該宴演出装置１の正面側に花ディスプレイ８を備え、両側面に複数の副蝋燭４を備え、背面に主蝋燭２を備える。【選択図】図１
2005178104.tif 000002
【特許請求の範囲】
【請求項１】
白煙を発生させる白煙発生装置と、
前記白煙を照明する照明装置とを備え、
前記白煙発生装置から発生する白煙の放出部を、横位置及び高さを異ならせて複数部位に設けた
演出装置。
【請求項２】
前記白煙発生装置を、
液体に超音波を放射して微粒子状の霧を発生させる超音波振動子を備えた霧発生装置で形成した
請求項１記載の演出装置。
【請求項３】
前記放出部を、液体を入れる容器で形成し、
該容器内に、液体内で発光可能な発光手段と前記霧発生装置とを収容した
請求項２記載の演出装置。
【請求項４】
前記白煙発生装置に、
白煙発生のＯＮ／ＯＦＦを切替えるスイッチと、
該スイッチのＯＮ／ＯＦＦ切替えを無線操作によって許容する無線受信手段とを備えた
請求項１、２又は３記載の演出装置。
【請求項５】
請求項２、３又は４記載の演出装置を、前記超音波振動子に液体が触れない状態で複数のテーブル上に設置し、
全ての白煙装置に対して白煙発生に必要な液体を順番に注ぐ１つの液体投入器を備えた
宴演出システム。
【発明の詳細な説明】
【技術分野】
【０００１】
この発明は、例えば結婚披露宴でのキャンドルサービスとして使用するような演出装置及び宴演出システムに関する。
【背景技術】
【０００２】
従来、結婚披露宴では、招待客のテーブルに備えたローソクに新郎新婦が順番に火を灯していくキャンドルサービスが行われている。
【０００３】
近年では、このようなキャンドルサービスに代わる演出として、発光剤容器で形成するグラスを積み上げたグラスタワーに化学発光剤を注入し、グラスが上から順に次々発光していくサービスが提案されている（特許文献１参照）。
【０００４】
また、招待客のテーブルにドラゴンの頭を３つ備えたパーティー演出装置を設置し、これを遠隔操作して、目を光らせると共に口からドライアイスの白煙を噴出するサービスが提案されている（特許文献２参照）。
【０００５】
【特許文献１】登録実用新案第３０４０４１０号公報
【特許文献２】特開平８−８４３７８号公報
【発明の開示】
【発明が解決しようとする課題】
【０００６】
しかし、これらのサービスは、動作を開始した瞬間は見る者に動的なインパクトを与えることが可能であるものの、一度起動したあとは特段の変化がなく、演出が効果的である時間が短いという欠点があった。
【０００７】
この発明は、上述の問題に鑑みて、動作の瞬間だけでなく継続的に効果的な演出を行うことが可能であり、長時間見ていても見る者が飽きることのない演出装置を提供することを目的とする。
【課題を解決するための手段】
【０００８】
この発明は、白煙を発生させる白煙発生装置と、前記白煙を照明する照明装置とを備え、前記白煙発生装置から発生する白煙の放出部を、横位置及び高さを異ならせて複数部位に設けた演出装置であることを特徴とする。
【０００９】
前記白煙発生装置は、振動手段の振動によって水を微粒子化して霧を発生させる霧発生装置、ドライアイスを水につけて白煙を発生させるドライアイス式白煙発生装置、煙を発生させる煙発生装置等、白煙を発生させる装置で構成することを含む。
【００１０】
前記照明装置は、発光ダイオードによる照明、スポットライトによる照明、蛍光灯による照明、白熱球による照明、レーザー光による照明など、白煙を照明する装置で構成することを含み、単一色で構成する、複数色で構成する、あるいは色を連続的又は断続的に変化させる構成とすることを含む。
【００１１】
前記放出部は、白煙発生装置の設置部、該白煙発生装置から発生する白煙をガイドするガイド手段に設けた穴や段差による放出部等、白煙を鑑賞可能に放出する部分で構成することを含む。
【００１２】
前記構成により、複数の放出部から白煙を放出し、該白煙を照明することができ、ゆらめく白煙を照明で照らし出して幻想的な演出を行うことができる。白煙の揺らめきは不規則であり、また継続して揺らめくため、照明に照らし出される様子が常時変化し、観客はいつまでも飽きることなく引き込まれるように見つづけることができる。
【００１３】
なお、利用場所としては、結婚披露宴等の冠婚葬祭、各種セレモニー、又はイベント等、各種の宴の場で利用することができる。
【００１４】
この発明の態様として、前記白煙発生装置を、液体に超音波を放射して微粒子状の霧を発生させる超音波振動子を備えた霧発生装置で形成することができる。
【００１５】
前記液体は、水等の液体で構成することを含み、透明液体、色付き又は色なしの半透明液体、若しくは、色付き又は色なしの不透明液体で構成することを含む。
【００１６】
前記構成により、液体を微粒子化して霧を発生させることができ、空気中に放出すると下方へ下がっていく白煙を発生させることができる。
【００１７】
またこの発明の態様として、前記放出部を、液体を入れる容器で形成し、該容器内に、液体内で発光可能な発光手段と前記霧発生装置とを収容することができる。
【００１８】
前記発光装置は、ＬＥＤ等の照明装置、又は蛍光剤等の発光部材等、光を発する手段で構成することを含む。
【００１９】
前記構成により、液体内で発光することができ、前記超音波振動子による液体の振動で揺らぐ光として演出に利用することができる。
【００２０】
またこの発明の態様として、前記白煙発生装置に、白煙発生のＯＮ／ＯＦＦを切替えるスイッチと、該スイッチのＯＮ／ＯＦＦ切替えを無線操作によって許容する無線受信手段とを備えることができる。
【００２１】
前記無線受信手段は、赤外線信号を受信する赤外線通信装置、磁気信号を受信する磁気通信装置等、無線で信号を受信できる装置で構成することを含む。
【００２２】
前記構成により、無線操作によって遠隔で白煙発生のＯＮ／ＯＦＦを切替えることができ、宴の進行に従って係員が最適なタイミングで白煙を発生させ、最適なタイミングで白煙の発生を停止させることができる。
【００２３】
またこの発明は、前記演出装置を、前記超音波振動子に液体が触れない状態で複数のテーブル上に設置し、全ての白煙装置に対して白煙発生に必要な液体を順番に注ぐ１つの液体投入器を備えた宴演出システムとすることができる
前記液体投入容器は、液体を収容する容器部と、該液体を注ぐ注ぎ口とを備えた投入器など、液体を注ぐことが可能な投入器で構成することを含む。
【００２４】
前記構成により、例えば結婚披露宴のキャンドルサービスとして、新郎新婦が液体投入容器で演出装置に順番に液体を注ぎ、順次白煙を発生させていく演出を行うことができる。
【発明の効果】
【００２５】
この発明により、動作の瞬間だけでなく継続的に効果的な演出を行うことが可能となり、長時間見ていても見る者が飽きることのない演出装置を提供することができる。
【発明を実施するための最良の形態】
【００２６】
この発明の一実施形態を以下図面と共に説明する。  
まず、図１に示す外観斜視図、図２に示す正面図、及び図３に示す平面図と共に、宴演出装置１の外観構成について説明する。
【００２７】
宴演出装置１は、複数の白煙発生部１０と、該白煙発生部１０の高さ調整を行う台座１１と、照明装置１２とで構成する。宴演出装置１を使用する際は、図１の使用状態の斜視図に示すように、テーブルクロス７を敷いたテーブル６上に宴演出装置１を設置し、該宴演出装置１の正面側に花ディスプレイ８を備え、両側面に複数の副蝋燭４を備え、背面に主蝋燭２を備える。
【００２８】
前記花ディスプレイ８は、複数の花でアレンジした花束である。  
前記支持体５は、斜めの円弧状に形成した支持部５ａと、該支持部５ａを所定の高さに支える足部５ｂとで形成する。
【００２９】
前記副蝋燭４は、テーブル６上に直接並べて置くと共に、支持体５に形成した支持部５ａに５つ並べて配設する。  
前記主蝋燭２は、支柱３でひときわ高く備えており、白煙発生部１０より高い最上部に備えている。このように、宴演出装置１は美的演出を付加して使用する。
【００３０】
前記白煙発生部１０は、図２の正面図に示すように、４つの白煙発生部１０のうち３つを高さの異なる台座１１でそれぞれ持上げている。  
前記台座１１は、透明部材（プラスチック又はガラス）で、本体を筒状に形成して底面に足部１１ａを備え、安定設置可能に構成している。
【００３１】
該台座１１の下方、及び該台座１１で持上げていない白煙発生部１０の下方には、上方に向って照明するＬＥＤを備えた照明装置１２を備え、前記前記白煙発生部１０、及び該白煙発生部１０から発生する白煙を照明するように構成している。
【００３２】
前記白煙発生部１０及び照明装置１２の配置は、図３の平面図に示すように、前後左右に位置をずらして非対象に備えている。すなわち、前後左右に位置をずらした照明装置１２の上に白煙発生部１０を備えた構成となり、１つの白煙発生部１０に１つの照明装置１２を対応させている。
【００３３】
以上の構成により、正面や斜め前から見て上下左右に異なる位置に備えた白煙発生部１０から白煙を発生させ、該白煙を照明装置１２で照明して幻想的な演出を行うことが可能となる。
【００３４】
次に、図４に示す正面断面図と共に、白煙発生部１０の構成について説明する。  
該白煙発生部１０は、椀状で水１６を入れる水受け容器１５と、正面視ハ字型で平面視円形のリング型をした水はね防止ガイド１４と、水１６から白煙を発生させるミストマシン２０とで構成する。
【００３５】
前記水はね防止ガイド１４は、透明部材（プラスチック又はガラス等）で上辺の口縁１４ａを背面側より正面側が低いように形成しており、水はねを防止する水はね防止手段として機能する。  
前記水受け容器１５は、水を受けることが可能で底が浅く口が広い椀状の容器であり、透明部材（プラスチック又はガラス等）で形成して口縁１５ａを備えている。
【００３６】
前記ミストマシン２０は、電源に接続された後述のスイッチ部３０をケーブル２２で接続する。なお、ケーブル２２は台座１１に止め具１９で固定しておく。
【００３７】
以上の構成により、水受け容器１５の底にミストマシン２０を設置し、水１６を水受け容器１５の中ほど以上で満杯より少なく注ぐことで、ミストマシン２０を完全に水没させて霧を発生させることができる。発生した霧は、水はね防止ガイド１４の口縁１４ａの低いところから水受け容器１５に放出され、さらに水受け容器１５の口縁１５ａから自然に外側へ放出されて下方へ流れて行く。
【００３８】
霧を発生させている間は、後述の超音波振動子２６の振動によって水１６が水面から跳ね上がるが、水はね防止ガイド１４で水が周りに飛び散ることを防止することができる。
【００３９】
また、霧の発生と共にマイナスイオンが発生するため、リラックス効果を得ることができる。
【００４０】
次に、図５、図６の斜視図と共に、ミストマシン２０の構成について説明する。  
ミストマシン２０は、図５の斜視図に示すように、円柱形状の外郭２７の平面に振動部やＬＥＤを備える。
【００４１】
詳述すると、外郭２７の平面中央にリング２５を備え、該リング２５の底面に当接させて超音波振動子２６を備える。前記リング２５の周囲には、６つの小型ＬＥＤ２４を等間隔に配設すると共に、該小型ＬＥＤ２４と横並びに持ち手部２３及びケーブル２２を配設する。
【００４２】
前記超音波振動子２６は、高周波を受けて励振されて超音波を発生する振動子であり、直流電圧によって高周波を発振する高周波発振部（図示省略）から出力される高周波を受けて駆動する。この超音波により、超音波振動子２６の表面に触れている水を微粒子化して霧を発生させる。
【００４３】
前記小型ＬＥＤ２４は、青色等の所定の色に発光するＬＥＤであり、全て同じ色で構成する。なお、該小型ＬＥＤ２４には複数色を使用し、全て異なる色又は一部異なる色で構成しても良い。また、１の霧発生部２１の小型ＬＥＤ２４は同一色で構成し、他の霧発生部２１は異なる色で構成して、霧発生部２１毎に異なる色で構成しても良い。
【００４４】
前記外郭２７は、金属部材で形成する。なお、水に入れるためステンレス等の錆に強い金属部材を使用するとよい。
【００４５】
ミストマシン２０に接続するスイッチ部３０は、図６の斜視図に示すように、四角形のスイッチボックス３１にＯＦＦポジションとＯＮポジションとしての弱ポジション及び強ポジションの３ポジションを切替え可能なスイッチ３２を備えて構成する。該スイッチ部３０の一方の接続部３３にはミストマシン２０を接続し、他方の接続部３４には商用電源（家庭用又は商用に供給されるＡＣ１００Ｖ等の交流電源）を接続する。
【００４６】
以上の構成により、ミストマシン２０はスイッチＯＮにより超音波振動子２６を振動させ、水から霧を発生させることができる。霧の発生の有無はスイッチ３２のＯＮ／ＯＦＦで制御することが可能であり、またスイッチ３２をＯＮにしておき水に浸すことで霧発生を開始することも可能となる。
【００４７】
また、スイッチ３２のＯＮで小型ＬＥＤ２４も発光するため、霧発生時に振動によって波立つ水１６の水中で小型ＬＥＤ２４からの光が揺らめいて見えることとなる。従って、照明装置１２（図１）で霧を照明すると共に、観客から見て霧の向こう側で小型ＬＥＤ２４の揺らめく光がぼんやりと見え、２種類の照明光による効果的な演出を行うことができる。
【００４８】
次に、図７に示す平面図と共に、結婚披露宴で宴演出装置１を利用してキャンドルサービスを行う宴演出システム１００について説明する。
【００４９】
該宴演出システム１００では、披露宴会場の各招待客テーブル６ａに１つずつ小型の宴演出装置１を設置する。このとき宴演出装置１は招待客テーブル６ａの中央に設置するため、白煙発生部１０の高さ配置は中央を最も高くし回りを低く設定して設置すると良い。
【００５０】
また、メインテーブル６ｂには、大きな宴演出装置１を設置し、図１と共に説明したように主蝋燭２、副蝋燭４、及び花ディスプレイ８を備える。
【００５１】
各宴演出装置１は、披露宴開始前、若しくはキャンドルサービス開始前に、招待客テーブル６ａの小型のものはスイッチ部３０を弱ポジションに設定し、メインテーブル６ｂの大型のものはスイッチ部３０を強ポジションに設定しておく。また同時に、照明装置１２の照明もＯＮにしておく。
【００５２】
新郎新婦Ｍは、水を十分に入れたポット型の水投入容器４０を持ち、矢印に示すように各招待客テーブル６ａに順番に周り、白煙発生部１０（図１）の水受け容器１５（図４）に水を注いでいく。
【００５３】
水が注がれた白煙発生部１０からは霧が発生し、光と霧による美しい演出の行われている招待客テーブル６ａが順番に増え、会場内の美しさが徐々に増して雰囲気も盛り上がっていく。
【００５４】
最後に新郎新婦Ｍがメインテーブル６ｂの宴演出装置１（図１）に対して、水受け容器１５（図４）に水を注ぎ、全ての宴演出装置１から霧が発生して最終段階となり、ミストマシン２０と照明装置１２のスイッチをＯＦＦにしてキャンドルサービスが終了する。
【００５５】
以上の宴演出システム１００により、幻想的で壮麗なキャンドルサービスを行うことができ、新郎新婦Ｍに多大な満足感を与えることができ、招待客は見ていて飽きない霧と光の揺らめきを鑑賞することができる。
【００５６】
なお、水受け容器１５は水が空の状態から始めたが、ミストマシン２０の超音波振動子２６に水が触れない程度に水を入れておき、新郎新婦Ｍが水を追加することで超音波振動子２６に水が触れ、霧が発生する構成としても良い。  
この場合は、新郎新婦Ｍが持ち歩く水の量を減らし、持ち歩く負担を軽減することができる。
【００５７】
以上の実施形態において、ミストマシン２０と照明装置１２のスイッチＯＮを手動で行ったが、無線通信で行っても良い。この場合、ミストマシン２０と照明装置１２には、図８に示すように赤外線受信装置５１を備え、披露宴会場のスタッフには赤外線発信装置５３を渡しておく。
【００５８】
各赤外線受信装置５１の受信周波数は、テーブル６単位で異ならせて設定しておき、赤外線発信装置５３には、周波数に対応する複数の押しボタン５５を備える。
【００５９】
これにより、披露宴会場のスタッフは、新郎新婦が近づいたテーブル６の宴演出装置１に遠隔操作で霧の発生と照明装置１２の点灯を行わせることができる。すなわち、スタッフが赤外線発信装置５３の該当する押しボタン５５を押下すると、赤外線発信部５４から発信した赤外線信号を対応する周波数の赤外線受信装置５１が赤外線受信部５２で受信し、ＯＮ／ＯＦＦの切替えを実行することができる。
【００６０】
従って、この場合は水受け容器１５（図４）に予め水１６を満たしておくことができ、新郎新婦Ｍ（図７）が水を持って回る労力を軽減することができる。
【００６１】
また、ミストマシン２０は商用電源に接続したが、電池に接続して動作するように構成しても良い。この場合、テーブル６が不要となるため美観に優れ、また会場の足元に電源ケーブルを配置する労力と障害を排除することができる。
【００６２】
また、ミストマシン２０と照明装置１２の電源系統は、宴演出装置１単位で１つに集約することが望ましいが、別系統となってもかまわない。別系統とした場合は、電源系統に制約されずに照明装置１２を選択することが可能となる。
【００６３】
また、複数備えた白煙発生部１０を、最上段の白煙発生部１０だけで構成し、該白煙発生部１０を支える台座１１の中腹に、１又は複数の略水平のガイド板を備えても良い。該ガイド板を複数備える場合は、高さを段違いにし、前後左右の位置も異ならせると良い。
【００６４】
これにより、白煙発生部１０が１箇所であっても、下方へ下りていく霧がガイド板で方向制御され、該ガイド板の端部で霧が再度放出（開放）されてそこからまた下方へ下りてき、多段に霧が舞い降りる演出を行うことができる。
【００６５】
また、宴演出装置１にはミストマシン２０を備え、霧の発生部位を異なる位置に設定したが、図９の正面断面図、及び図１０の正面図に示すように、１箇所で霧を発生させて複数の放出位置へ霧をガイドする構成としても良い。
【００６６】
すなわち、図９では下方中央の照明装置１２の上に白煙発生室７３を備え、該白煙発生室７３内に複数のミストマシン２０を収納すると共に水１６を注いでおく。
【００６７】
発生させた霧は、筒部７２で放出部である放出皿７１まで案内する。なお、該筒部７２と放出皿７１とで白煙ガイド７０を構成し、放出皿７１の口縁７１ａで放出部を構成する。
【００６８】
図１０では、白煙発生室７３から白煙をガイドする筒部７２を１つ備え、該筒部７２から最上段の放出皿７１まで白煙を誘導する。各放出皿７１は上から順に白煙通路７４で連結し、該白煙通路７４を霧が流れて順次下方の放出皿７１へ霧を誘導する。霧の放出は、放出皿７１からの放出に加えて、白煙通路７４から漏れ出して放出する。
【００６９】
以上のように形成した場合は、ミストマシン２０の設置位置を１箇所に集約することができるため、ミストマシン２０に接続するケーブル２２による美観の妨げを防止することができる。
【００７０】
１箇所で発生した霧は、筒部７２、放出皿７１、及び白煙通路７４でガイドされて方向制御され、口縁７１ａで開放されて空気中に放出されることとなる。
【００７１】
また、照明装置１２は、最初の実施形態では白煙発生部１０の直下位置に備えて照明方向を上方に設定したが、図９、図１０に示したように白煙発生部１０の斜め下方にも備えて照明方向を斜め上方に設定しても良く、あるいは、施設（披露宴会場）の天井に設置して下方又は斜め下方に照明方向を設定しても良い。
【００７２】
この場合は、様々な照明角度を選択することが可能となり、照明による演出種類を多様にすることができる。なお、照明装置１２の設置位置は、観客の鑑賞の妨げとならないよう正面や側面からの照明は避けることが望ましく、宴演出装置１の一体性を考えると白煙発生部１０の下方部分に備えることが望ましい。
【００７３】
また、水はね防止ガイド１４は、図１１の正面断面図に示すように、底面を平面にした球状で側面に穴６１を設けた水はね防止ガイド６０で構成しても良い。なお、図示するミストマシン２０は、商用電源ではなく電池ボックス２８を接続する。該電池ボックス２８には無線信号受信部を内蔵したタイプで構成し、乾電池、充電式電池、又はバッテリー等の直流電源を内蔵する。
【００７４】
これにより、ミストマシン２０を水はね防止ガイド６０内に収納し、白煙発生部１０からの水の吹き上げを確実に防止し、水受け容器１５上にゆったりとたゆたう霧を発生させることができる。なお、この場合穴６１を横方向に複数設けても良い。
【００７５】
また、適宜のファン（送風手段）を備え、霧の動作をファンで制御する構成としても良い。この場合、霧を一定方向へ流す、霧を広く拡散させる等、様々な演出を行うことが可能となる。
【００７６】
以上に説明した各実施形態において、宴演出装置１の背景部又は／及び周部に、スクリーンや照明等を設置し、演出要素を増加しても良い。スクリーンには、プロジェクタで映像を投射する、照明装置で照明する等、様々な映像や模様を映し出すと良い。これにより、演出効果を高めることができる。
【００７７】
また、主蝋燭２及び副蝋燭４の替わりに、持ち帰り可能な花束、着色液体、鉢植木、グリーン（つた等の草類又はその模造品を装飾的に配置したもの）、ヌイグルミ等の置物、又はこれらの複数を備えても良い。これにより、蝋燭以外を利用した演出を行うことが可能となる。
【００７８】
また、白煙発生部内フレグランスとして芳香剤を水中又は水中以外に備えても良い。これにより、ミストマシン２０稼動前から香りが少し漂い、ミストマシン２０の起動開始によって香りが拡散し、より強く香るようになって嗅覚に感じる演出を行うことができる。
【００７９】
また、ミストマシン２０の個数は複数又は単数とすることができ、規模に応じて個数や種類を調整すると良い。
【００８０】
また、副蝋燭４に火を灯すのは列席者とし、主蝋燭２に火を灯すのは新郎新婦とする、又は、遠隔操作による白煙の発生開始や照明点灯を列席者が行う等、列席者の参加型演出を行うようにして利用しても良い。これにより、披露宴での演出を列席者との協調的なものとし、満足度の高い演出を行うことができる。
【００８１】
また、宴演出装置１は、結婚披露宴に限らず、他の冠婚葬祭、各種セレモニー、イベントといった行事で使用しても良く、ロビー等の置物として使用しても良い。これにより、宴演出装置１の活用範囲が広がり、様々なシーンで演出を行うことができる。
【００８２】
この発明の構成と、上述の実施形態との対応において、
この発明の演出装置は、実施形態の宴演出装置１に対応し、
以下同様に、
放出部は、実施形態の口縁１４ａ、口縁１５ａ、口縁７１ａ、及びガイド板に対応し、
容器は、水受け容器１５に対応し、
液体は、水１６に対応し、
白煙発生装置及び霧発生装置は、ミストマシン２０に対応し、
発光手段は、小型ＬＥＤ２４に対応し、
スイッチは、スイッチ部３０に対応し、
液体投入器は、水投入容器４０に対応し、
無線受信手段は、赤外線受信装置５１に対応するも、
この発明は、上述の実施形態の構成のみに限定されるものではなく、多くの実施の形態を得ることができる。
【図面の簡単な説明】
【００８３】
【図１】演出装置の外観構成を示す斜視図。
【図２】演出装置の外観構成を示す正面図。
【図３】演出装置の外観構成を示す平面図。
【図４】白煙発生部の正面一部断面図。
【図５】ミストマシンの外観構成を示す斜視図。
【図６】スイッチ部の外観構成を示す斜視図。
【図７】宴演出システムのシステム構成を示す平面図。
【図８】赤外線受信装置と赤外線発信装置の外観構成を示す斜視図。
【図９】他の実施形態の演出装置の正面断面図。
【図１０】他の実施形態の演出装置の正面断面図。
【図１１】他の実施形態のはね防止ガイドの正面一部断面図。
【符号の説明】
【００８４】
１…宴演出装置
６…テーブル
６ａ…招待客テーブル
６ｂ…メインテーブル
１２…照明装置
１４ａ…口縁
１５ａ…口縁
１５…水受け容器
１６…水
２０…ミストマシン
２４…小型ＬＥＤ
２６…振超音波振動子
３０…スイッチ部
４０…水投入容器
５１…赤外線受信装置
１００…宴演出システム
【図１】
2005178104.tif 000003
【図２】
2005178104.tif 000004
【図３】
2005178104.tif 000005
【図４】
2005178104.tif 000006
【図５】
2005178104.tif 000007
【図６】
2005178104.tif 000008
【図７】
2005178104.tif 000009
【図８】
2005178104.tif 000010
【図９】
2005178104.tif 000011
【図１０】
2005178104.tif 000012
【図１１】
2005178104.tif 000013